(57)【要約】      （修正有）【課題】トイレユニットのロータンクの裏のデッドスペースを有効活用することのできるトイレ室を提供する。【解決手段】後壁１０から離れて配置され、便器２１と、便器の後部に位置し、便器の高さよりも高いロータンク２２とを含む水洗トイレユニットと、ロータンク２２と後壁との間に配置された収納空間３０とを備える。収納空間は、複数のトイレットペーパーを収納するためのペーパー収納部を含む。ペーパー収納部は、トイレットペーパーを投入するための投入口３２と、投入口よりも下方、かつ、幅方向においてロータンクに重ならない位置に配置された、トイレットペーパーを取り出すための取出し口と、投入口から取出し口までトイレットペーパーの転動を案内するための案内部３４とを有している。【選択図】図２
2015217227.tif 000002
【特許請求の範囲】
【請求項１】
第１および第２の側壁と後壁とによって三方が囲まれたトイレ室であって、
前記後壁から離れて配置され、便器と、前記便器の後部に位置し、前記便器の高さよりも高いロータンクとを含む水洗トイレユニットと、
前記ロータンクと前記後壁との間に配置された収納空間とを備え、
前記収納空間は、複数のトイレットペーパーを収納するためのペーパー収納部を含み、
前記ペーパー収納部は、前記トイレットペーパーを投入するための投入口と、前記投入口よりも下方、かつ、幅方向において前記ロータンクに重ならない位置に配置された、前記トイレットペーパーを取り出すための取出し口と、前記投入口から前記取出し口までトイレットペーパーの転動を案内するための案内部とを有している、トイレ室。
【請求項２】
前記投入口は、前記ロータンクよりも前記第１の側壁側に配置され、前記取出し口は、前記ロータンクよりも前記第２の側壁側に配置され、
前記案内部は、前記投入口から前記取出し口まで案内する少なくとも１つの傾斜面を含む、請求項１に記載のトイレ室。
【請求項３】
前記投入口および前記取出し口は、前記ロータンクよりも前記第２の側壁側に配置され、
前記案内部は、前記投入口側から前記第１の側壁側に延びる第１の傾斜面と、前記第１の傾斜面の下方に位置し、前記第１の側壁側から前記取出し口側に延びる第２の傾斜面とを含む、請求項１に記載のトイレ室。
【請求項４】
前記後壁には、前記ペーパー収納部より上方位置に窓が設けられている、請求項１〜３のいずれかに記載のトイレ室。
【請求項５】
前記第１および第２の側壁との間に配置され、前記ペーパー収納部より上方に位置するカウンターをさらに備える、請求項１〜４のいずれかに記載のトイレ室。
【請求項６】
前記カウンターは、前記第１の側壁から前記第２の側壁まで延びている、請求項５に記載のトイレ室。
【請求項７】
前記収納空間は、前記ロータンクよりも前記第１の側壁側に、前記ロータンクよりも高さの低い通気弁を収納するための通気弁収納部をさらに含む、請求項５または６に記載のトイレ室。
【請求項８】
前記収納空間は、前記第１および第２の側壁の少なくとも一方側に、複数の棚板が配置され、
前記取出し口は、前記棚板間に設けられている、請求項１〜７のいずれかに記載のトイレ室。
【請求項９】
前記水洗トイレユニットは、前記便器の幅方向一方側に配置された操作部をさらに含み、
前記取出し口は、前記操作部の反対側に設けられている、請求項１〜８のいずれかに記載のトイレ室。
【発明の詳細な説明】
【技術分野】
【０００１】
この発明は、トイレ室に関し、特に、水洗トイレユニットが後壁から離れて配置されるトイレ室に関する。
【背景技術】
【０００２】
従来から、住宅等の建物におけるトイレ室内に、トイレットペーパー等を収納するために、壁面に沿って収納棚が配置されることがある。
【０００３】
特開２０００−８０７０９号公報（特許文献１）には、便器後方の壁面にキャビネットが配置され、通気弁を収納する部分、トイレのロータンクを収納する部分およびトイレ用具を収納する部分を有する収納構造が開示されている。
【０００４】
他方、特開２００７−１３５７４０号公報（特許文献２）には、トイレットペーパーの補充を容易にするために、ペーパーホルダー側へ向けて傾斜した載置転動部を有するペーパーボックス装置が開示されている。
【先行技術文献】
【特許文献】
【０００５】
【特許文献１】特開２０００−８０７０９号公報
【特許文献２】特開２００７−１３５７４０号公報
【発明の概要】
【発明が解決しようとする課題】
【０００６】
住宅等のトイレ室は、狭い空間を有効活用することが求められている。
【０００７】
上記特許文献１に示されるトイレ室は、ロータンクが後壁に近接して配置されている。そのため、ロータンクをキャビネット内に収納し、ロータンクの横にトイレ用具の収納棚を設けることで狭い空間を有効活用している。
【０００８】
一方で、ロータンクを有するトイレユニットが後壁から離れて配置されるトイレ室も存在する。この場合、ロータンク裏の空間もデッドスペースとなる。
【０００９】
本発明は、上記のような課題を解決するためになされたものであって、その目的は、トイレユニットのロータンクの裏のデッドスペースを有効活用することのできるトイレ室を提供することを目的とする。
【課題を解決するための手段】
【００１０】
この目的のため本発明によるトイレ室は、第１および第２の側壁と後壁とによって三方が囲まれている。トイレ室は、後壁から離れて配置され、便器と、便器の後部に位置し、便器の高さよりも高いロータンクとを含む水洗トイレユニットと、ロータンクと後壁との間に配置された収納空間とを備える。収納空間は、複数のトイレットペーパーを収納するためのペーパー収納部を含む。ペーパー収納部は、トイレットペーパーを投入するための投入口と、投入口よりも下方、かつ、幅方向においてロータンクに重ならない位置に配置された、トイレットペーパーを取り出すための取出し口と、投入口から取出し口までトイレットペーパーの転動を案内するための案内部とを有している。
【００１１】
好ましくは、投入口は、ロータンクよりも第１の側壁側に配置され、取出し口は、ロータンクよりも第２の側壁側に配置される。この場合、案内部は、投入口から取出し口まで案内する少なくとも１つの傾斜面を含むことが望ましい。
【００１２】
あるいは、投入口および取出し口は、ロータンクよりも第２の側壁側に配置されてもよい。この場合、案内部は、投入口側から第１の側壁側に延びる第１の傾斜面と、第１の傾斜面の下方に位置し、第１の側壁側から取出し口側に延びる第２の傾斜面とを含むことが望ましい。
【００１３】
後壁には、ペーパー収納部より上方位置に窓が設けられていてもよい。
【００１４】
好ましくは、第１および第２の側壁との間に配置され、ペーパー収納部より上方に位置するカウンターをさらに備える。
【００１５】
カウンターは、第１の側壁から第２の側壁まで延びていることが望ましい。
【００１６】
収納空間は、ロータンクよりも第１の側壁側に、ロータンクよりも高さの低い通気弁を収納するための通気弁収納部をさらに含んでもよい。
【００１７】
好ましくは、収納空間は、第１および第２の側壁の少なくとも一方側に、複数の棚板が配置され、取出し口は、棚板間に設けられている。
【００１８】
水洗トイレユニットは、便器の幅方向一方側に配置された操作部をさらに含んでもよい。この場合、取出し口は、操作部の反対側に設けられていることが望ましい。
【発明の効果】
【００１９】
本発明によれば、トイレユニットのロータンクの裏のデッドスペースを有効活用することのできるトイレ室を提供することができる。
【図面の簡単な説明】
【００２０】
【図１】本発明の実施の形態１に係るトイレ室の構成を模式的に示す一点透視図である。
【図２】本発明の実施の形態１に係るトイレ室の構成を模式的に示す断面図である。
【図３】本発明の実施の形態１に係る収納空間を模式的に示す平面図である。
【図４】本発明の実施の形態１において、ペーパー収納部の投入口と取出し口の他の配置例を模式的に示す平面図である。
【図５】本発明の実施の形態２に係るペーパー収納部を模式的に示す平面図である。
【図６】本発明の実施の形態３に係るペーパー収納部を模式的に示す平面図である。
【図７】本発明の実施の形態４に係るペーパー収納部を模式的に示す平面図である。
【図８】本発明の実施の形態５に係るペーパー収納部を模式的に示す平面図である。
【図９】本発明の実施の形態６に係る収納空間を模式的に示す平面図である。
【図１０】本発明の実施の形態７に係る収納空間を模式的に示す平面図である。
【発明を実施するための形態】
【００２１】
本発明の実施の形態について図面を参照しながら詳細に説明する。なお、図中同一または相当部分には同一符号を付してその説明は繰り返さない。
【００２２】
＜実施の形態１＞
（概要について）
図１および図２を参照して、トイレ室の概要について説明する。図２には、図１のＩＩ−ＩＩ矢印線で切断した場合のトイレ室の構成が模式的に示されている。本実施の形態では、図１において矢印Ａ１で示す方向を幅方向とする。さらに、図２において矢印Ａ２で示す方向を後方、その反対を前方とする。
【００２３】
トイレ室１は、例えば、住宅の上階（例えば２階）の一部に設けられている。トイレ室１は、トイレ室１の後方に位置する後壁１０と、第１の側壁１１と、第２の側壁１２とによって三方が囲まれている。後壁１０には、窓１４が設けられていてもよい。
【００２４】
水洗トイレユニット２０は、便器２１と、便器２１に洗浄水を供給するロータンク２２と、便座に含まれるウォシュレット（登録商標）等を操作するための操作部２３とを有する。ロータンク２２は、便器２１の後方に位置し、便器２１の高さよりも高い。ロータンク２２の上部には、吐水管２４が設けられており、ロータンク２２の床面からの高さは、例えば、約１ｍである。操作部２３は、便器２１の第１の側壁１１側に取り付けられている。
【００２５】
トイレ室１には、通気弁３８が設けられている。通気弁３８は、一般に２階以上のトイレ室１に設けられ、空気を取り入れて真空状態を解除し、スムーズな排水を行うためのものである。通気弁３８は、ロータンク２２よりも高さが低く、一般的に、ロータンク２２の高さの約２／３の高さである。
【００２６】
図２に示されるように、水洗トイレユニット２０（ロータンク２２）は、後壁１０から離れて配置されている。具体的には、前後方向において、ロータンク２２と後壁１０とは、トイレットペーパー４０の軸方向の寸法よりも離れている。そこで、本実施の形態では、ロータンク２２と後壁１０との間に収納空間３０を設けている。以下に、収納空間３０の構成について詳細に説明する。
【００２７】
（収納空間について）
図３をさらに参照して、収納空間３０について説明する。
【００２８】
収納空間３０は、複数のトイレットペーパー４０を収納するためのペーパー収納部３１と、通気弁３８を収納する通気弁収納部３７と、様々なトイレ用品４１を収納可能なトイレ用品収納部３９とを含む。
【００２９】
本実施の形態では、後壁１０にカウンター１３が設けられている。カウンター１３は、窓１４よりも下方に位置し、第１の側壁１１から第２の側壁１２まで延びている。ペーパー収納部３１と通気弁収納部３７とトイレ用品収納部３９とは、カウンター１３より下方位置に配置されている。カウンター１３の高さは、ロータンク２２の高さと同じぐらいである。具体的には、カウンター１３は、ロータンク２２の高さから−１０ｃｍ〜＋１５ｃｍの範囲内に位置していることが望ましい。一方で、カウンター１３は、ロータンク２２の高さから＋５０ｃｍの高さに位置していてもよい。
【００３０】
ペーパー収納部３１は、トイレットペーパー４０を投入するための投入口３２と、トイレットペーパー４０を取り出すための取出し口３３と、投入口３２から取出し口３３までトイレットペーパー４０の転動を案内するための案内部３４とを有している。ペーパー収納部３１の前面には、ロータンク２２と近接または当接する仕切り板５１が設けられる。
【００３１】
投入口３２は、幅方向において、ロータンク２２よりも第１の側壁１１側で、ロータンク２２に重ならない位置に配置される。投入口３２は、例えば、カウンター１３に形成されている。つまり、本実施の形態では、投入口３２は、上方を向いている。この場合、カウンター１３の第１の側壁１１側端部には、投入口３２を閉鎖可能にするための蓋部１３０が設けられることが望ましい。蓋部１３０は、蝶番等を用いてカウンター１３本体に対し開閉可能に設けられる。なお、カウンター１３がロータンク２２よりも高い場合、投入口３２は、上下方向において、ロータンク２２に重ならない位置に配置されてもよい。
【００３２】
取出し口３３は、幅方向において、ロータンク２２よりも第２の側壁１２側で、ロータンク２２に重ならない位置に配置される。取出し口３３は、上下方向において、投入口３２より下方に位置する。取出し口３３は、前方を向いていることが望ましい。本実施の形態では、取出し口３３は、後述するトイレ用品収納部３９の棚板３６ａ，３６ｂ間に設けられる。取出し口３３の下側の棚板３６ｂは、例えば、床から４０ｃｍ程度の位置に設けられる。これは、使用者が便器２１に座っている状態でもトイレットペーパー４０を取出しやすい高さである。なお、この棚板３６ｂの高さは、上記例に限定されない。ただし、取出しやすさを考慮して、床から１５ｃｍ以上上方であることが望ましい。取出し口３３は、幅方向において、操作部２３の反対側に設けられている。このように配置することで、トイレットペーパー４０が取り出しやすい。
【００３３】
案内部３４は、投入口３２側から取出し口３３側まで延びる傾斜面３４０を有している。案内部３４は、例えば板状に形成されている。案内部３４の３２側端部は、ロータンク２２よりも第１の側壁１１側に位置し、案内部３４の取出し口３３は、トイレ用品収納部３９の棚板３６ｂに接続されている。取出し口３３は、投入口３２より下方に位置するため、案内部３４（傾斜面３４０）は、投入口３２側から取出し口３３に向けて下方に傾斜している。そのため、使用者がトイレットペーパー４０を投入口３２から投入すると、トイレットペーパー４０は、重力により取出し口３３に向かって案内部３４上を転がる。案内部３４の幅方向の長さは、ロータンク２２の幅寸法よりも大きいため、複数のトイレットペーパー４０を投入口３２から順に投入することで、複数のトイレットペーパー４０を案内部３４上に保管することが可能である。使用者が取出し口３３に位置するトイレットペーパー４０を１つずつ取り出す度に、重力により、案内部３４に載置されたトイレットペーパー４０が順次取出し口３３に転がる仕組みとなっている。なお、案内部３４の傾斜角度は、トイレットペーパー４０が転がる角度であればよい。
【００３４】
通気弁収納部３７は、幅方向において、第１の側壁１１およびペーパー収納部３１に隣接している。本実施の形態では、案内部３４の第１の側壁１１側端部より下方に通気弁収納部３７が形成されている。通気弁収納部３７およびその上方に位置するペーパー収納部３１の一部の前面には、仕切り板５２が設けられる。仕切り板５２は、通気弁３８の点検の際に開放可能であってよい。
【００３５】
トイレ用品収納部３９は、幅方向において、第２の側壁１２およびペーパー収納部３１に隣接している。トイレ用品収納部３９は、上側収納部３９１と下側収納部３９２とを含む。また、上下方向において、上側収納部３９１と下側収納部３９２とは、ペーパー収納部３１の取出し口３３を挟んで設けられる。つまり、上側収納部３９１は棚板３６ａの上方に、下側収納部３９２は棚板３６ｂの下方に設けられる。上側収納部３９１と下側収納部３９２と取出し口３３との前面には、開閉可能な扉５３が設けられてもよい。
【００３６】
上述のように、トイレ室１の収納空間３０には、ロータンク２２の裏に配置された案内部３４を含むペーパー収納部３１が設けられている。したがって、デッドスペースとなっていたロータンク２２の裏に複数のトイレットペーパー４０を収納することができる。その結果、トイレ室１内の空間を有効に活用することができる。さらに、ペーパー収納部３１の投入口３２および取出し口３３は、ロータンク２２と重ならない位置に設けられるため、トイレットペーパー４０の投入と取出しとをスムーズに行うことができる。また、ペーパー収納部３１がロータンク２２により隠されているため、美観を向上することができる。
【００３７】
また、図１に示すように、後壁１０に窓１４が配置されているような場合には、天井近傍などの水洗トイレユニット１０の上方位置に、収納棚を配置することは困難であるが、このような場合にも有効である。また、カウンター１３より上は開放されているため、トイレ室１全体を広く見せることもできる。
【００３８】
図４は、本実施の形態において、ペーパー収納部３１の投入口と取出し口の他の配置例を模式的に示す図である。投入口３２は、仕切り板５２上に形成され、前方を向いている。投入口３２は、例えば、トイレットペーパー４０の直径よりも少し大きい略円形の開口である。本例では、上側収納部３９１、下側収納部３９２の前面にそれぞれ扉５３が設けられており、これらの間に仕切り板５４が固定されている。取出し口３３は、仕切り板５４上に形成され、トイレットペーパー４０を取り出すことができる大きさの略楕円形の開口で形成される。
【００３９】
以下の実施形態では、ペーパー収納部３１の他の構成例について説明する。以下に実施の形態１との相違点のみ詳細に説明する。図５〜８において、仕切り板５１，５２および扉５３の図示を省略している。
【００４０】
＜実施の形態２＞
図５は、本発明の実施の形態２におけるペーパー収納部３１Ａを模式的に示す図である。図５を参照して、本実施の形態では、案内部３４は、２つの傾斜面３４１，３４２を含む。つまり、案内部３４は、上下方向に離れて配置される２列の板状部材で構成される。傾斜面３４１，３４２は、同じ傾斜であってよい。
【００４１】
この場合も、１つの投入口３２が、第１の側壁１１側に形成され、１つの取出し口３３が第２の側壁１２側に形成されればよい。具体的には、投入口３２は、例えば、カウンター１３上に形成され、取出し口３３は、例えば、棚板３６ｂとその上方の図示しない棚板間に形成されている。傾斜面３４２は、棚板３６ｂの上面とつながっている。傾斜面３４２の投入口３２側端部は、トイレットペーパー４０の直径以上、傾斜面３４１よりも第１の側壁１１側に延びている。
【００４２】
投入口３２から手を入れて、上側の傾斜面３４１か、下側の傾斜面３４２へトイレットペーパー４０を投入することができる。傾斜面３４１を転がったトイレットペーパー４０は、棚板３６ｂへ落下する。このように、傾斜面を複数列とすることで、より多くのトイレットペーパー４０を収納することが可能である。
【００４３】
なお、本実施の形態では、案内部３４は、２つの傾斜面３４１，３４２を含むこととしたが、３つ以上の傾斜面を含んでもよい。また、傾斜面３４１，３４２ごとに、投入口３２および投入口３２を設けてもよい。
【００４４】
＜実施の形態３＞
図６は、本発明の実施の形態３におけるペーパー収納部３１Ｂを模式的に示す図である。図６を参照して、本実施の形態では、案内部３４は、傾斜の向きが異なる２つの傾斜面３４３，３４４を含む。この場合、投入口３２および取出し口３３は、例えば、いずれも第２の側壁１２側に形成される。投入口３２は、例えば、カウンター１３上に形成されている。取出し口３３は、実施の形態２と同様であってよい。
【００４５】
上側の傾斜面３４３は、投入口３２から第１の側壁１１側に向かって下方へ傾斜し、下側の傾斜面３４４は、第１の側壁１１側から取出し口３３側に向かって下方へ傾斜する。傾斜面３４３は、第２の側壁１２に近接している。傾斜面３４４の第１の側壁１１側端部は、トイレットペーパー４０の直径以上、傾斜面３４３よりも第１の側壁１１側に延びている。つまり、トイレットペーパー４０が傾斜面３４４に落下するスペース分あけて配置される。さらに、傾斜面３４４は、棚板３６ｂの上面とつながっている。
【００４６】
トイレットペーパー４０は、投入口３２から投入されると、重力により傾斜面３４３上を転がる。トイレットペーパー４０が傾斜面３４３の端部まで転がると、傾斜面３４４上に落下する。その後、さらに傾斜面３４４を転がって取出し口３３の位置（棚板３６ｂ上）に到着する。このように、案内部３４を迂回形状とすることで、実施の形態２よりも、投入を簡単にすることができる。また、投入口３２と取出し口３３とを同じ側壁側に形成することが可能である。
【００４７】
＜実施の形態４＞
図７は、本発明の実施の形態４におけるペーパー収納部３１Ｃを模式的に示す図である。実施の形態３では、案内部３４は、トイレットペーパー４０を一往復させる構成であったが、本実施の形態では、一往復半させる構成である。図７を参照して、本実施の形態では、案内部３４は、３つの傾斜面３４５，３４６，３４７を含む。この場合、投入口３２は、第１の側壁１１側に形成される。取出し口３３は、第２の側壁１２側で、上側収納部３９１と下側収納部３９２との間に形成される。
【００４８】
上側の傾斜面３４５は、第１の側壁１１側から上側収納部３９１側に傾斜し、二番目の傾斜面３４６は、上側収納部３９１側から第１の側壁１１側に傾斜し、下側の傾斜面３４７は、第１の側壁１１側から取出し口３３側に向かって下方へ傾斜する。傾斜面３４５，３５７は、同じ傾斜角度でよい。
【００４９】
傾斜面３４５は、第１の側壁１１に近接している。トイレットペーパー４０が傾斜面３４６に落下するスペース分あけて配置される。傾斜面３４６は、上側収納部３９１に近接している。傾斜面３４６の上側収納部３９１側端部は、トイレットペーパー４０の直径以上、傾斜面３４５よりも第１の側壁１１側に延びている。さらに、傾斜面３４７の通気弁収納部３７側端部も、トイレットペーパー４０の直径以上、傾斜面３４６よりも通気弁収納部３７側に延びている。トイレットペーパー４０が傾斜面３４７に落下するスペース分あけて配置される。傾斜面３４７は、通気弁収納部３７に近接し、棚板３６ｂの上面とつながっている。
【００５０】
この場合、トイレットペーパー４０が、投入口３２から投入されると、重力により傾斜面３４５を転がって一旦上側収納部３９１側に転動し、傾斜面３４６に落下する。トイレットペーパー４０は、傾斜面３４６上を通気弁収納部３７側に転がり、次は、傾斜面３４７に落下する。その後、トイレットペーパー４０は、傾斜面３４７を転がって第２の側壁１２側の棚板３６ｂに到着する。このような形状とすることで、実施の形態３よりも多くのトイレットペーパー４０を収納することが可能である。
【００５１】
＜実施の形態５＞
図８は、本発明の実施の形態５におけるペーパー収納部３１Ｄを模式的に示す図である。図８を参照して、本実施の形態では、２つの投入口３２が、第１の側壁１１側と第２の側壁１２側とにそれぞれ設けられる。取出し口３３は、第２の側壁１２側に１箇所設けられる。傾斜面３４８は、第１の側壁１１側からペーパー収納部３１の中央部近傍に向かって傾斜し、傾斜面３４９は、第２の側壁１２側からペーパー収納部３１の中央部近傍に向かって傾斜する。傾斜面３５０は、ペーパー収納部３１の中央部近傍から第２の側壁１２側に傾斜する。
【００５２】
傾斜面３４８は第１の側壁１１に近接し、傾斜面３４９は第２の側壁１２に近接し、左右対称の傾斜で配置される。傾斜面３４８と傾斜面３４９とは、トイレットペーパー４０が傾斜面３５０に落下するスペース分あけて配置される。さらに、傾斜面３５０は、棚板３６ｂの上面とつながっている。
【００５３】
この場合、トイレットペーパー４０は、第１の側壁１１側の投入口３２から投入されると、重力により傾斜面３４８を転がって、傾斜面３５０上に落下し、取出し口３３の位置に到着する。第２の側壁１２側の投入口３２から投入されると、重力により、傾斜面３４９を転がって、傾斜面３５０上に落下し、取出し口３３の位置に到着する。
【００５４】
投入口３２を第１の側壁１１側と第２の側壁１２側の２箇所とすることで、使用者が利用しやすい投入口３２を選択して、利用することが可能である。また、カウンター１３全面を開閉可能な形状として、上方から複数のトイレットペーパー４０を投入してもよい。
【００５５】
以下の実施形態では、収納空間３０の他の構成例について説明する。以下に実施の形態１との相違点のみ詳細に説明する。
【００５６】
＜実施の形態６＞
図９は、実施の形態６に係る収納空間３０Ａを模式的に示す図である。なお、図９にはロータンク２２が想像線にて示されている。上記の実施の形態において、カウンター１３は、第１の側壁１１側から第２の側壁１２側まで延びるとしていたが、カウンター１３は、第１の側壁１１から第２の側壁１２側いっぱいに延びていなくてもよい。本実施の形態では、カウンター１３は、例えば、中央位置のロータンク２２の後方にのみ配置されている。この場合、図９に示すように、カウンター１３よりも上方位置においても、第１の側壁１１側と第２の側壁１２側にそれぞれ、天井近傍まで延びるトイレ用品収納部３９を配置させてもよい。この場合、投入口３２もトイレ用品収納部３９の棚板３６間に形成されてもよい。
【００５７】
＜実施の形態７＞
図１０は、実施の形態７に係る収納空間３０Ｂを模式的に示す図である。上記各実施の形態において、カウンター１３の高さをロータンク２２と同じぐらいの高さとしたが、図１０に示すように、カウンター１３Ａの高さをロータンク２２よりも十分に高い位置（天井付近）に配置してもよい。このように構成することで、案内部３４として、多数の傾斜面３４５，３４６，３４７を含ませることが可能となるため、より多くのトイレットペーパー４０を収納することが可能となる。なお、図１０では、カウンター１３に隣接する領域全体をペーパー収納部３１としている。
【００５８】
なお、上記各実施の形態では、案内部３４は、板状であるとしたが、傾斜面を有していれば、板状でなくてもよい。また案内部３４の上面全体が傾斜面でなくてもよい。傾斜面は、幅方向に延びる複数の棒状部材の上面により実現されてもよいし、ローラーコンベアの上面により実現されてもよい。また、案内部３４は、トイレットペーパー４の転動（移動）を案内できれば、傾斜面に代えて、円弧面を有していてもよい。
【００５９】
また、上記各実施の形態において、建物の上階を例にしたが、１階でもよい。この場合、通気弁収納部３７に代えて、他のトイレ用品収納部を設けてもよい。または、通気弁収納部３７の位置までペーパー収納部３１の範囲が拡大されていてもよい。また、特にこのような場合には、第１の側壁１１、第２の側壁１２のいずれかに、使用者の出入り口があれば、それに近いほうに投入口３２が設けられるほうが望ましい。
【００６０】
さらに、上記各実施の形態において、ロータンク２２と後壁１０とは、前後方向において、トイレットペーパー４０の軸方向の寸法よりも離れているとしたが、具体的には、トイレットペーパー４０の軸方向の寸法の２倍以上離れていてもよい。この場合、案内部３４の前後方向の長さを、トイレットペーパー４０を前後方向に複数並べて配置できるように設計してもよい。
【００６１】
あるいは、収納空間３０は、ペーパー収納部３１さえ含んでいれば、トイレ用品収納部３９も含まなくてよい。この場合、上述の棚板３６ｂは、ペーパー収納部３１の構成であってもよい。また、傾斜面が延びていてもよい。
【００６２】
なお、上記実施形態１〜７を、適宜組み合わせてもよい。
【００６３】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００６４】
１  トイレ室、１０  後壁、１１  第１の側壁、１２  第２の側壁、１３，１３Ａ  カウンター、１４  窓、２０  水洗トイレユニット、２１  便器、２２  ロータンク、２３  操作部、２４  吐水管、３０  収納空間、３１  ３１０  ペーパー収納部、３２  投入口、３３  取出し口、３４，３４０〜３５０  案内部、３６，３６ａ，３６ｂ  棚板、３７  通気弁収納部、３８  通気弁、３９  トイレ用品収納部、３９１  上側収納部、３９２  下側収納部、４０  トイレットペーパー、４１  トイレ用品、５１，５２，５４  仕切り板、５３  扉、１３０  蓋部。
【図１】
2015217227.tif 000003
【図２】
2015217227.tif 000004
【図３】
2015217227.tif 000005
【図４】
2015217227.tif 000006
【図５】
2015217227.tif 000007
【図６】
2015217227.tif 000008
【図７】
2015217227.tif 000009
【図８】
2015217227.tif 000010
【図９】
2015217227.tif 000011
【図１０】
2015217227.tif 000012